(57)【要約】【課題】側面視が三角形状の乳幼児用枕であって、本体が経年変化でも反発力の低下しない素材１種類からなり、家庭用の洗濯機にて無理なく洗濯でき、乾燥容易性のために孔を設ける場合はその直径が頭部部分において７ｍｍ以下であり、乾燥時間のバラツキを減少させるように孔のサイズや分布密度を工夫する。【解決手段】側面視が三角形状で、本体が固綿のみからあるいは熱接着性複合短繊維のみからなり、本体に孔を設ける場合はその数を１００個〜３００個とし、頭部部分の孔の直径は７ｍｍ以下で、孔のサイズや分布密度が乾燥時間のバラツキを減少させるように工夫され、本体を２以上のパーツに分解可能とする場合には夫々が幅４０ｃｍ以内のパーツとなる乳幼児用枕を提供する。【選択図】        図１
2011234817.tif 000002
【特許請求の範囲】
【請求項１】
乳幼児に使用する枕であって、乳幼児の頭部が載置される面を上面とし、乳幼児の体躯が位置する側を正面として、奥行きが２５ｃｍ〜４０ｃｍ、幅が３５ｃｍ〜６０ｃｍ、背面側の高さが４ｃｍ〜１０ｃｍの範囲内であり、左右の側面視が共に正面側の角が鋭角をなす三角形状であり、本体が固綿のみから、あるいは熱接着性複合短繊維のみから構成され、該本体を布にて被覆してなることを特徴とする乳幼児用枕。
【請求項２】
奥行きが２５ｃｍ〜３５ｃｍ、幅が３５ｃｍ〜４４ｃｍ、背面側の高さが４ｃｍ〜６ｃｍの範囲内であることを特徴とする請求項１に記載の乳幼児用枕。
【請求項３】
本体が２以上のパーツに分解可能であり、分解した場合に各パーツの横幅が４０ｃｍ以内であることを特徴とする請求項１に記載の乳幼児用枕。
【請求項４】
本体の上面あるいは下面あるいは上面と下面の両方に合計１００個〜３００個の孔が穿設されていることを特徴とする請求項１あるいは請求項２あるいは請求項３に記載の乳幼児用枕。
【請求項５】
本体の上面あるいは下面あるいは上面と下面の両方に穿設される孔の直径が、乳幼児の頭部が載置される部分においては７ｍｍ以下であることを特徴とする請求項４に記載の乳幼児用枕。
【請求項６】
本体に穿設された孔の密度が、本体の後部においては中央部より密となり、前部においては中央部より疎となっていることを特徴とする請求項４あるいは請求項５に記載の乳幼児用枕。
【請求項７】
本体に穿設された孔の直径が、本体の後部に穿設された孔おいては中央部に穿設された孔の直径より大となり、本体の前部に穿設された孔においては中央部に穿設された孔の直径より小となっていることを特徴とする請求項４あるいは請求項５あるいは請求項６に記載の乳幼児用枕。
【請求項８】
本体を２以上のパーツに分解するための区画線が、乳幼児の頭部が載置される部分以外の部分を通過していることを特徴とする構成３あるいは請求項４あるいは請求項５あるいは請求項６あるいは請求項７に記載の乳幼児用枕。
【請求項９】
本体を２以上のパーツに分解するための区画線が直線あるいは曲線あるいは直線と曲線の組み合わせをもって屈曲されていることを特徴とする請求項３あるいは請求項４あるいは請求項５あるいは請求項６あるいは請求項７あるいは請求項８に記載の乳幼児用枕。
【請求項１０】
本体が３個のパーツに分解でき、中央パーツにおいて、正面の横幅が背面の横幅より小に構成されていることを特徴とする請求項３あるいは請求項４あるいは請求項５あるいは請求項６あるいは請求項７あるいは請求項８あるいは請求項９に記載の乳幼児用枕。
【発明の詳細な説明】
【技術分野】
【０００１】
本発明は、乳幼児用枕に関するものであり、さらに詳しくは、次の構成の乳幼児用枕に関するものである。
＜構成１＞
乳幼児に使用する枕であって、乳幼児の頭部が載置される面を上面とし、乳幼児の体躯が位置する側を正面として、奥行きが２５ｃｍ〜４０ｃｍ、幅が３５ｃｍ〜６０ｃｍ、背面側の高さが４ｃｍ〜１０ｃｍの範囲内であり、左右の側面視が共に正面側の角が鋭角をなす三角形状であり、本体が固綿のみから、あるいは熱接着性複合短繊維のみから構成され、該本体を布にて被覆してなることを特徴とする乳幼児用枕。
＜構成２＞
奥行きが２５ｃｍ〜３５ｃｍ、幅が３５ｃｍ〜４４ｃｍ、背面側の高さが４ｃｍ〜６ｃｍの範囲内であることを特徴とする構成１に記載の乳幼児用枕。
＜構成３＞
本体が２以上のパーツに分解可能であり、分解した場合に各パーツの横幅が４０ｃｍ以内であることを特徴とする構成１に記載の乳幼児用枕。
＜構成４＞
本体の上面あるいは下面あるいは上面と下面の両方に合計１００個〜３００個の孔が穿設されていることを特徴とする構成１あるいは構成２あるいは構成３に記載の乳幼児用枕。
＜構成５＞
本体の上面あるいは下面あるいは上面と下面の両方に穿設される孔の直径が、乳幼児の頭部が載置される部分においては７ｍｍ以下であることを特徴とする構成４に記載の乳幼児用枕。
＜構成６＞
本体に穿設された孔の密度が、本体の後部においては中央部より密となり、前部においては中央部より疎となっていることを特徴とする構成４あるいは構成５に記載の乳幼児用枕。
＜構成７＞
本体に穿設された孔の直径が、本体の後部に穿設された孔おいては中央部に穿設された孔の直径より大となり、本体の前部に穿設された孔においては中央部に穿設された孔の直径より小となっていることを特徴とする構成４あるいは構成５あるいは構成６に記載の乳幼児用枕。
＜構成８＞
本体を２以上のパーツに分解するための区画線が、乳幼児の頭部が載置される部分以外の部分を通過していることを特徴とする構成３あるいは構成４あるいは構成５あるいは構成６あるいは構成７に記載の乳幼児用枕。
＜構成９＞
本体を２以上のパーツに分解するための区画線が直線あるいは曲線あるいは直線と曲線の組み合わせをもって屈曲されていることを特徴とする構成３あるいは構成４あるいは構成５あるいは構成６あるいは構成７あるいは構成８に記載の乳幼児用枕。
＜構成１０＞
本体が３個のパーツに分解でき、中央パーツにおいて、正面の横幅が背面の横幅より小に構成されていることを特徴とする構成３あるいは構成４あるいは構成５あるいは構成６あるいは構成７あるいは構成８あるいは構成９に記載の乳幼児用枕。
【背景技術】
【０００２】
従来の乳幼児用枕は、頭部が載置される部位が凹部、あるいは孔状に形成されている、所謂「ドーナツ状」のものが主流であった。しかし、下記特許文献１０の背景技術の項に詳述されているように、このようなタイプの乳幼児用枕においては乳幼児の体躯と頭部を結ぶ線が水平線状となり、授乳直後の乳幼児に、所謂「吐き戻し」や「げっぷ」、「鼻詰まり」等の芳しくない現象が多々発生することが知られていた。
【０００３】
このような現象の解消のために本願発明者が考案した「乳幼児用枕」が、下記特許文献１０に開示されている。下記特許文献１０の「乳幼児用枕」においては、軟質材（ポリウレタン）の本体が布製カバーで被覆されており、側面形状が三角形状で、乳幼児の体躯側に位置する角の角度が５°〜２０°、望ましくは７°〜１５°、さらに望ましくは９°〜１１°の範囲内であるので、乳幼児の体躯と頭部を結ぶ線が水平線状となる状態が回避され、この結果上記諸現象を防止することに成功したものである。
【０００４】
なお、同様の「三角形状」の側面を有する枕は、下記特許文献３、７にも開示されているが、下記特許文献３の「クッション」は介護用のもの、また、書き特許文献７の「枕」は成人の姿勢矯正用のものであり、乳幼児に特有の上記諸現象の防止に関しては、当然のことながら、下記特許文献１０の「乳幼児用枕」に及ぶものではない。
【０００５】
下記特許文献１０に記載の「乳幼児用枕」は、乳幼児を持つ家庭において好評をもって受け容れられ、特に上記諸現象の防止効果に優れている点から、広く使用されるに至った。しかしながら、利用者が広がるにつれ、その特長、すなわち上記諸現象の防止効果はそのままに、さらなる改良を求める声も多く聞かれるようになってきた。
【０００６】
その要望の第一点は、長期の使用により、乳幼児の頭部が載置される部分において、本体のポリウレタン樹脂が、所謂「ヘタレ」と呼ばれる反発力低下現象を起こし、頭部を一定位置に保持する能力が弱くなって、新品に比較すると乳幼児の頭部が下に沈むようになり、その結果、乳幼児の体躯と頭部を結ぶ線が水平線状に近くなるという点である。これは、要するに下記特許文献１０に記載の「乳幼児用枕」の最大の効果を弱めるものであって、一旦上記「ヘタレ」現象を起こした「乳幼児用枕」は本体を交換するしか再生の方法がない。しかるに、本体の交換には費用と手間がかかるので、結局廃棄して、新しい製品を買い求めるしかなかった。
【０００７】
上記の反発力の低下現象を防止するためには、枕の本体として、長期間の使用によっても反発力の低下を惹起しにくい素材を用いるのが最も根本的な解決方法である。本願発明者は、この要請に相応しい素材を探し、各種素材を試みた結果、最適の素材として、所謂「固綿」と呼称される綿を素材とした不織布、あるいは熱接着性複合短繊維を用いることにより、上記問題が略解決できることを見出した。
【０００８】
固綿は、通常の「綿」である軟綿に対して謂われる用語であり、通常の「綿」すなわち軟綿を圧縮してフェルト状に固めたものであり、使用される「綿」は、天然のものでも合成繊維性でもどちらでも良い。固綿は、肌ざわりや吸湿性、通気性においては軟綿の特徴を良く保持しながら、圧縮力には強く、長期間の使用によってもポリウレタンのように反発力が低下することがなく、所謂「ヘタレ」現象を起こしにくい素材として知られている。また、熱接着性複合短繊維も同様の特性によって知られている。
【０００９】
固綿は、下記特許文献２、８に見るように、すでに寝装具の素材としてはごく一般的に用いられているものである。下記特許文献２の「寝装品」においては寝装具の芯材として、下記特許文献８の「快適で健康によい枕」においては木枕の表面に貼着するシートとして用いられている。すなわち、下記特許文献２、８においては、いずれも、他の素材と組み合わせて用いられている。
【００１０】
固綿あるいは熱接着性複合短繊維を下記特許文献１０の「乳児用枕」の本体として用いるにあたっては、いくつか解決しなければならない問題があるが、その第１は、固綿のみ、あるいは熱接着性複合短繊維のみにて本体を形成するという点である。すなわち、下記特許文献２、８に見るように、他の素材と組み合わせるのではなく、固綿のみあるいは熱接着性複合短繊維のみにて本体を構成するという要請である。
【００１１】
このような要請が起こる理由としては、まず、本体が異なる素材から構成されていると、どうしても長期の使用の間に素材と素材の間にズレを生じ、その結果として新品の時に有していた効果が十分に発揮されなくなるという点が挙げられる。すなわち、異なる素材を貼り合わせて本体を形成した場合、時間の経過と共に素材間で相互剥離現象が起き、相対的な位置ズレが生じて、使い心地が悪化するばかりか、本来の効果が発揮できなくなるという理由である。本体を固綿１種類のみ、あるいは熱接着性複合短繊維１種類のみによって構成した場合には、こうした不都合は生じない。
【００１２】
次に、後に掲げる洗濯可能性に関する問題点が挙げられる。本体を洗濯したい場合、異なる素材を組み合わせて構成されていると、そもそも洗濯そのものが不能である場合があり、また可能であったとしても、洗濯及び乾燥によって接合部分が弱体化し、剥離現象が促進されてしまうこととなる。
【００１３】
次に、下記特許文献１０の「乳児用枕」の本体として固綿あるいは熱接着性複合短繊維を用いるにあたっての第２の問題点は、乳幼児の頭部に対して、固綿あるいは熱接着性複合短繊維は反発力がやや強すぎる、すなわち硬すぎるという点である。この点は、被覆に用いる布製カバーを２重にする、あるいは布製カバーの素材を考慮するということによっても解決は可能であるが、通常は、下記特許文献２のように、表面により柔らかい素材を介在させることによって解決している例が多い。しかるに、本体を異なる素材によって構成すれば、上述のような障害が生じてくるので、素材としては固綿のみあるいは熱接着性複合短繊維のみで、しかも表面における反発力を通常の固綿より若干下げるという構成が、理想的には求められる。熱接着性複合短繊維の場合には、表面部分だけ網状成形体の密度等を調整することにより反発力を加減できるので、そういった問題を比較的簡単に回避できるが、固綿の場合には難しい。
【００１４】
次に、要望の第２点としては、「洗濯可能」ということである。確かに、下記特許文献１０に記載の「乳幼児用枕」は、被覆している布製カバーから本体を取り出して洗濯することが不可能なわけではない。ただ、家庭にて洗濯しようとした場合に、障害となる点が２点あり、それは、「サイズ」の問題、及び「乾燥の遅さ」の問題であった。
【００１５】
まず「サイズ」の問題についていうなら、現在主として流通している下記特許文献１０に記載の「乳幼児用枕」のサイズは、横幅が５５〜６０ｃｍ程度、奥行きが３０〜３５ｃｍ程度、そして後端部の高さが７ｃｍ内外のものが多い。しかしながら、このサイズの「乳幼児用枕」の本体を通常の家庭用洗濯機に入れようとすると、側面を下にしても洗濯槽のサイズぎりぎりであり、したがって洗濯槽の中で十分な攪拌が望めない。また、該「乳幼児用枕」を洗濯槽に入れてしまうと、他の洗濯物を入れる余地も少なく、入れても攪拌が不十分で、完全な洗濯効果が期待できないという結果となった。なお、通常の家庭用の洗濯機の洗濯槽の直径は、４５〜４８ｃｍ程度、深さは５０〜５５ｃｍ程度である。
【００１６】
またさらに困るのは、乾燥時間の問題である。上記サイズの「乳幼児用枕」の本体は、吸湿性の良いポリウレタンであるので、洗濯によって水分を十分に吸収した状態になるとなかなか乾燥しない。通常、家庭で洗える洗濯物は、余程厚手のものでも丸一日天日干しにすれば十分に乾燥されるが、上記「乳幼児用枕」の本体は、丸一日天日干しにしても乾燥せず、夜間は濡れた状態のまま室内に取り込まなければならない。このように、乾燥に時間がかかるという点が、家庭での洗濯を困難にしている第２の問題点であった。
【００１７】
洗濯可能性を有する枕は、すでにいくつか開示されている。（下記特許文献１、２、４、５、６、８、９参照）しかしながら、いずれも本願発明の要請に十全に答え得る技術内容を開示するものではない。
【００１８】
例えば、下記特許文献１の「枕」は、内部に「隔室」を設けることによって洗濯時に内部の「クッション材」の偏りを防ぐという点に着目して開発されたもので、結局、洗濯時にもサイズは大きいままであり、また乾燥時にもそのまま干さなければならないので、上記洗濯時及び乾燥時の困難は全く解決されていない。
【００１９】
次に、下記特許文献２の「寝装品」においては、芯材の固綿に「貫通孔」を設けて乾燥を促進することができる旨が述べられている。しかしながら、やはり洗濯時には全体を丸洗いしなければならず、この際、異なる素材が積層されているので、素材間の剥離やズレにおいて不安が残る。また、乾燥時においても、「貫通孔」が形成されているのは芯材の固綿のみであり、芯材を被覆する軟綿部分には一切乾燥を促進させる手段が見当たらない。したがって、せっかく穿設されている「貫通孔」が表裏の軟綿部分によって遮蔽被覆されていることになり、乾燥促進効果は弱められているといわざるを得ない。
【００２０】
次に、下記特許文献４の「低反発ウォッシャブル枕」においては、本体が１種類の素材で形成され、該本体に「貫通孔」が設けられているので、下記特許文献２の「寝装品」に比較すると、乾燥効果はかなり改善されているものと見ることができる。ただ、洗濯時には全体を丸洗いしなければならない点は変わらず、この点においては下記特許文献２の「寝装品」と同様の困難を依然として有している。
【００２１】
また、「貫通孔」の数が２０〜６０とされているが、この程度の個数で十分な乾燥効果を望もうとすれば、必然的に「貫通孔」のサイズを大きなものとしなければならない。下記特許文献４には、「貫通孔」の直径が１０〜１５ｍｍと記載されているが、これだけの直径の「貫通孔」が薄い布地（表皮材）を介するだけで頭部に接触すると、素材によってはやはり違和感を覚えることとなる。
【００２２】
下記特許文献４の「低反発ウォッシャブル枕」においては、本体が「低反発弾性フォーム」すなわち、ポリウレタンフォームから成るため、直径が１０〜１５ｍｍの「貫通孔」が頭部が載置される位置に穿設されていても、頭部にはさほど違和感は感じない。しかし、本体を例えば固綿で形成した場合には、固綿はポリウレタンフォームに比較するとはるかに反発力が高いので、直径が１０〜１５ｍｍの「貫通孔」はやはり頭部になんらかの違和感を与えずにはおかない。したがって、本体を固綿で形成する場合には、少なくとも頭部が載置される部位においては、「貫通孔」の直径は、下記特許文献４に記載の１０〜１５ｍｍより小とする必要がある。そしてまた、「貫通孔」の直径を小にした場合には、乾燥容易性を保持するために、「貫通孔」の個数を増加させる必要があるということになる。
【００２３】
次に、下記特許文献５の「枕」においても、やはり乾燥促進のために本体に「穴」を設けるという技術内容が開示されているが、下記特許文献５の「枕」における「穴」は水平に設けられる大型のもので、その個数も実施例においては２個である。下記特許文献５の「枕」においては、この「穴」にドライヤー等から熱風を吹き込んで強制乾燥させる技術手段を開示するものであって、本願発明が目指す、自然乾燥における乾燥容易性の向上とは全く異なるものである。なお、下記特許文献５においても、やはり洗濯時には「丸洗い」が必要であって、この点においても本願発明が目指す技術内容は実現されていない。また、「穴」の形状を保持するための円筒形状の「送風筒体」は、明らかに本体のポリウレタンとは別素材にて形成されていると解される。
【００２４】
次に、下記特許文献６の「ウォッシャブル枕」は、「低反発ポリウレタンフォーム」の本体を上下（内外）２層に分割できるようにしたものである。しかしながら、２層に分割した場合でも上層（外層）の横幅や奥行き、高さは変わらず、結局通常の洗濯槽に入れにくいという問題点は解決されていない。
【００２５】
次に、下記特許文献８に記載の「快適で健康によい枕」においては、本体が木製であり、この部分に「小穴」が「多数」「開口」されている。しかしながら、「小穴」のサイズは１０ｍｍ位とあり、かつ縦横約３０〜５０ｍｍ、一般的には４０ｍｍ間隔に「開口」されているとあるので、このような数値限定にては、やはり本願発明において要求される効果は達成し難いものである。また、「丸洗い」可能との記載はあるが、本体の分割については一切開示されておらず、実際に通常の家庭用洗濯機にて洗うには、多大な困難を伴うものであることは想像に難くない。さらに、全体は、木製の本体、綿混不織附層ないしはカタワタ層、活性炭／繊維コンポジット層の３層からなりそれを「外被生地」が被覆しており、この点からしても本発明の趣旨からは外れている。
【００２６】
次に、下記特許文献９に記載の「枕」においては、本体部分が小片に分割される技術内容が開示されているので、この点においては、洗濯時の洗濯容易性は実現されていると見ることができる。しかしながら、図１、図２を見る限り、本体が中央部分で奥行き方向に分割されており、この部分に頭部の重量が最もかかってくる点を考えると、このような分割方法には、耐久性や使用感の問題から、疑問を呈さざるを得ない。また、分割されても最大厚さは変わらないので、乾燥時の乾燥容易性においても問題が完全に解決されているとは言い難いものである。
【先行技術文献】
【特許文献】
【００２７】
【特許文献１】特開２００２‐３２０５４０号公報
【特許文献２】特開２００３‐３１０４０７号公報
【特許文献３】特開２００４‐３５７８１９号公報
【特許文献４】特開２００４‐３５８１３７号公報
【特許文献５】特開２００６‐１４９５６９号公報
【特許文献６】特開２００６‐２４６９５６号公報
【特許文献７】特開２００８‐００５８８１号公報
【特許文献８】実用新案登録第３００２４７３号公報
【特許文献９】実用新案登録第３０９５７７０号公報
【特許文献１０】実用新案登録第３１０４４２２号公報
【発明の概要】
【発明が解決しようとする課題】
【００２８】
以上より、本発明の解決すべき課題を、下記のように設定した。
＜課題１＞
乳幼児の体躯と頭部を結ぶ線が水平線から適切な角度を保持し得るように構成された側面視が三角形状の乳幼児用枕であって、本体素材を、使用による経年変化においても反発力の低下しないものとする。
＜課題２＞
本体素材は１種類のみとし、異なる素材を組み合わせて本体を形成することは避ける。
＜課題３＞
場合によっては、本体の素材の反発力の高さを和らげる手段を補う。ただし、その場合にても、本体構成は１種類の素材からなるものとする。
＜課題４＞
本体を、家庭用の洗濯機にて無理なく洗濯できるサイズに分割可能とすることも考慮する。但し、その場合には、頭部が載置される位置には分割線が通過しないような構成とする。
＜課題５＞
乾燥時の乾燥容易性のために本体に孔を設けるケースも考えられる。但し、その場合には、特に頭部が載置される部分においては、孔の直径を７ｍｍ以下のものとする。また、孔のサイズや分布密度を考慮することによって、厚さが異なる各部においても、乾燥時間のバラツキをなるべく抑えたい。
【課題を解決するための手段】
【００２９】
本発明は上記課題を解決するためになされたものであって、以下の解決手段を提供するものである。
＜解決手段１＞
乳幼児に使用する枕であって、乳幼児の頭部が載置される面を上面とし、乳幼児の体躯が位置する側を正面として、奥行きが２５ｃｍ〜４０ｃｍ、幅が３５ｃｍ〜６０ｃｍ、背面側の高さが４ｃｍ〜１０ｃｍの範囲内であり、左右の側面視が共に正面側の角が鋭角をなす三角形状であり、本体が固綿のみから、あるいは熱接着性複合短繊維のみから構成され、該本体を布にて被覆してなることを特徴とする乳幼児用枕。
＜解決手段２＞
奥行きが２５ｃｍ〜３５ｃｍ、幅が３５ｃｍ〜４４ｃｍ、背面側の高さが４ｃｍ〜６ｃｍの範囲内であることを特徴とする解決手段１に記載の乳幼児用枕。
＜解決手段３＞
本体が２以上のパーツに分解可能であり、分解した場合に各パーツの横幅が４０ｃｍ以内であることを特徴とする解決手段１に記載の乳幼児用枕。
＜解決手段４＞
本体の上面あるいは下面あるいは上面と下面の両方に合計１００個〜３００個の孔が穿設されていることを特徴とする解決手段１あるいは解決手段２あるいは解決手段３に記載の乳幼児用枕。
＜解決手段５＞
本体の上面あるいは下面あるいは上面と下面の両方に穿設される孔の直径が、乳幼児の頭部が載置される部分においては７ｍｍ以下であることを特徴とする解決手段４に記載の乳幼児用枕。
＜解決手段６＞
本体に穿設された孔の密度が、本体の後部においては中央部より密となり、前部においては中央部より疎となっていることを特徴とする解決手段４あるいは解決手段５に記載の乳幼児用枕。
＜解決手段７＞
本体に穿設された孔の直径が、本体の後部に穿設された孔おいては中央部に穿設された孔の直径より大となり、本体の前部に穿設された孔においては中央部に穿設された孔の直径より小となっていることを特徴とする解決手段４あるいは解決手段５あるいは解決手段６に記載の乳幼児用枕。
＜解決手段８＞
本体を２以上のパーツに分解するための区画線が、乳幼児の頭部が載置される部分以外の部分を通過していることを特徴とする解決手段３あるいは解決手段４あるいは解決手段５あるいは解決手段６あるいは解決手段７に記載の乳幼児用枕。
＜解決手段９＞
本体を２以上のパーツに分解するための区画線が直線あるいは曲線あるいは直線と曲線の組み合わせをもって屈曲されていることを特徴とする解決手段３あるいは解決手段４あるいは解決手段５あるいは解決手段６あるいは解決手段７あるいは解決手段８に記載の乳幼児用枕。
＜解決手段１０＞
本体が３個のパーツに分解でき、中央パーツにおいて、正面の横幅が背面の横幅より小に構成されていることを特徴とする解決手段３あるいは解決手段４あるいは解決手段５あるいは解決手段６あるいは解決手段７あるいは解決手段８あるいは解決手段９に記載の乳幼児用枕。
【発明の効果】
【００３０】
本発明の解決手段１から１０の発明によれば、本体が固綿のみから、あるいは熱接着性複合短繊維のみから構成されているので、低反発性の素材、例えばポリウレタンを使用した場合のように経年変化によって反発性が低下し、結果として乳幼児の体躯と頭部を結ぶ線が水平線状に近づくということが生じない。したがって、乳幼児に特有の所謂「吐き戻し」や「げっぷ」、「鼻詰まり」等の授乳直後の芳しくない諸現象を防止する効果が長続きする。また、本発明において、上面と下面を等しく構成した場合には、上面と下面を入れ替えることによって、さらに長期間の使用に耐ええるものとすることが可能である。
【００３１】
本発明の解決手段２の発明によれば、奥行きが２５ｃｍ〜３５ｃｍ、幅が３５ｃｍ〜４４ｃｍ、背面側の高さが４ｃｍ〜６ｃｍの範囲内であるので、本体をそのまま洗濯機で丸洗い可能である。すなわち、通常の家庭用の洗濯機の洗濯槽の直径は、４５〜４８ｃｍ程度、深さは５０〜５５ｃｍ程度であるので、本体をどのような方向に入れても通常の家庭用の洗濯機の洗濯槽に収容可能であり、そのまま丸洗いができる。サイズが小さいことから、乾燥時間も短縮される。
【００３２】
本発明の解決手段３の発明によれば、本体が２以上のパーツに分解可能であり、分解した場合に各パーツの横幅が４０ｃｍ以内であるので、ふつうの家庭用の洗濯機の洗濯槽に入れても邪魔にならず、攪拌も十分に行われるので、洗濯効果が損なわれることがない。また、乾燥時においても乾燥時間が短縮される。
【００３３】
本発明の解決手段４の発明によれば、本体の上面あるいは下面あるいは上面と下面の両方に合計１００個〜３００個の孔が穿設されているので、通気性及び吸湿性が共に良好であり、さらに洗濯後の乾燥時においても乾燥容易性に優れている。
【００３４】
本発明の解決手段５の発明によれば、本体の上面あるいは下面あるいは上面と下面の両方に穿設される孔の直径が、乳幼児の頭部が載置される部分においては７ｍｍ以下であるので、薄い布製カバーを介在するだけで乳幼児の頭部が載置されても、乳幼児の頭部に与える影響が極めて少なく、使用感が損なわれることがない。
【００３５】
本発明の解決手段６の発明によれば、本体の上面に穿設された孔の密度が、本体の後部においては中央部より密となり、前部においては中央部より疎となっているので、本体の厚さが厚く乾燥が遅い後部において乾燥がより促進される。また前部においては、本体の厚さが薄いので孔の密度はより疎であっても乾燥には十分であり、また厚さが薄い前部において孔の密度が密であると本体そのものが弱体化する危険があり本体の寿命が短くなるが、本体の前部において孔の密度を疎とすることにより、本体が弱体化される危険が回避される。
【００３６】
本発明の解決手段７の発明によれば、本体の上面に穿設された孔の直径が、本体の後部に穿設された孔おいては中央部に穿設された孔の直径より大となり、本体の前部に穿設された孔においては中央部に穿設された孔の直径より小となっているので、乾燥が遅い後部において乾燥がより促進される。また前部においては、本体の厚さが薄いので孔の直径はより小であっても乾燥には十分であり、また厚さが薄い前部において孔の直径が大であると本体そのものが弱体化する危険があり本体の寿命が短くなるが、本体の前部において孔の直径を小とすることにより、本体が弱体化される危険が回避される。
【００３７】
本発明の解決手段８の発明によれば、本体を２以上のパーツに分解するための区画線が、乳幼児の頭部が載置される部分以外の部分を通過しているので、区画線によって使用感が損なわれることがなく、また区画線とその近傍が、乳幼児の頭部の重量によって影響を蒙る惧れもない。
【００３８】
本発明の解決手段９の発明によれば、本体を２以上のパーツに分解するための区画線が直線あるいは曲線あるいは直線と曲線の組み合わせをもって屈曲されているので、２以上のパーツどうしが布製カバー内にて緊密に組み合わされ、布製カバーの被覆力によって結合され、相互にズレを起こすことがない。
【００３９】
本発明の解決手段１０の発明によれば、本体が３個のパーツに分解でき、中央パーツにおいて、正面の横幅が背面の横幅より小に構成されているので、乳幼児用枕の背面部分に本体挿入脱抜口を設けた場合に、挿入の際にはまず左右のパーツを挿入して後に中央パーツを挿入することによって円滑な挿入が実現され、また脱抜の際にはまず中央パーツを脱抜し、しかるのちに左右のパーツを脱抜することにより円滑な脱抜が実現される。
【図面の簡単な説明】
【００４０】
【図１】（ａ）本発明の実施例１の乳幼児用枕の正面右上から見た外観斜視図である。（ｂ）本発明の実施例１の乳幼児用枕の布製カバーを除去した状態の正面右上から見た外観斜視図である。（ｃ）本発明の実施例１の乳幼児用枕の本体の正面右上から見た外観斜視図である。
【図２】（ａ）本発明の実施例１の乳幼児用枕の正面右下から見た外観斜視図である。（ｂ）本発明の実施例１の乳幼児用枕の背面右側から見た外観斜視図である。（ｃ）本発明の実施例１の乳幼児用枕の作用を説明するための説明図である。
【図３】（ａ）本発明の実施例１の乳幼児用枕の本体の平面図である。（ｂ）図３ａのＡ−Ａ線縦断面図である。（ｃ）図３ａのＢ−Ｂ線縦断面図である。
【図４】（ａ）本発明の実施例２の乳幼児用枕の本体の平面図である。（ｂ）図４ａのＣ−Ｃ線縦断面図である。（ｃ）図４ａのＤ−Ｄ線縦断面図である。
【図５】（ａ）本発明の実施例３の乳幼児用枕の本体の平面図である。（ｂ）図５ａのＥ−Ｅ線縦断面図である。（ｃ）図５ａのＦ−Ｆ線縦断面図である。
【図６】（ａ）本発明の実施例４の乳幼児用枕の本体の平面図である。    （ｂ）本発明の実施例４の乳幼児用枕の本体の外観斜視図である。
【図７】（ａ）本発明の実施例５の乳幼児用枕の本体の平面図である。    （ｂ）本発明の実施例５の乳幼児用枕の本体の外観斜視図である。
【図８】（ａ）本発明の実施例６の乳幼児用枕の本体の平面図である。    （ｂ）本発明の実施例６の乳幼児用枕の本体の外観斜視図である。
【図９】（ａ）本発明の実施例７の乳幼児用枕の本体の平面図である。    （ｂ）本発明の実施例７の乳幼児用枕の本体の外観斜視図である。
【図１０】（ａ）本発明の実施例８の乳幼児用枕の本体の平面図である。    （ｂ）本発明の実施例８の乳幼児用枕の本体の外観斜視図である。
【図１１】（ａ）本発明の実施例９の乳幼児用枕の本体の平面図である。    （ｂ）本発明の実施例９の乳幼児用枕の本体の外観斜視図である。
【図１２】（ａ）本発明の実施例１０の乳幼児用枕の本体の平面図である。    （ｂ）図１２ａのＧ−Ｇ線縦断面図である。
【図１３】（ａ）本発明の実施例１０に用いる固綿シートのメッシュの製法を説明する説明図である。    （ｂ）本発明の実施例１０に用いる固綿シートのメッシュの製法を説明する説明図である。
【図１４】（ａ）本発明の実施例１１の乳幼児用枕の本体の平面図である。    （ｂ）本発明の実施例１１の乳幼児用枕の本体の外観斜視図である。
【図１５】（ａ）本発明の実施例１２の乳幼児用枕の本体の平面図である。    （ｂ）本発明の実施例１２の乳幼児用枕の本体の外観斜視図である。
【図１６】（ａ）本発明の実施例１３の乳幼児用枕の正面右上から見た外観斜視図である。（ｂ）本発明の実施例１３の乳幼児用枕の布製カバーを除去した状態の正面右上から見た外観斜視図である。（ｃ）本発明の実施例１３の乳幼児用枕の本体の正面右上から見た外観斜視図である。
【図１７】（ａ）本発明の実施例１４の乳幼児用枕の正面右上から見た外観斜視図である。（ｂ）本発明の実施例１４の乳幼児用枕の布製カバーを除去した状態の正面右上から見た外観斜視図である。（ｃ）本発明の実施例１４の乳幼児用枕の本体の正面右上から見た外観斜視図である。
【図１８】（ａ）本発明の実施例１５の乳幼児用枕の正面右上から見た外観斜視図である。（ｂ）本発明の実施例１５の乳幼児用枕の布製カバーを除去した状態の正面右上から見た外観斜視図である。（ｃ）本発明の実施例１５の乳幼児用枕の本体の正面右上から見た外観斜視図である。
【図１９】（ａ）本発明の実施例１の乳幼児用枕の作用を説明する説明図である。    （ｂ）本発明の実施例１の乳幼児用枕の作用を説明する説明図である。
【発明を実施するための形態】
【００４１】
本発明を実施するための形態を、以下に、図面を参照しながら詳細に説明する。
【実施例１】
【００４２】
実施例１の乳幼児用枕１は、図１９ａ、図１９ｂに示すように乳幼児Ｂの頭部ＢＨが載置される面を上面とし、乳幼児Ｂの体躯ＢＤが位置する側を正面とした場合に、図１ａに見るように正面側が低く、背面側が高く、平面視が長方形状で左右の側面視が二等辺三角形状に構成されていて、奥行きＤ１は２５〜４０ｃｍ、幅Ｗ１は３５〜６０ｃｍ、背面側の高さＨ１ｂが４〜１０ｃｍの範囲内である。正面側の高さＨ１ａは、縫製の具合によって微妙に異なるので一定には定められないが、０．３〜２ｃｍの範囲内となる。また、側面視における正面側の角θは、適切な値として５°〜２０°、望ましい値としては７°〜１５°、さらに望ましい値としては９°〜１１°の範囲内である。
【００４３】
実施例１の乳幼児用枕１において、１ａは上面、１ｂは下面、１ｃは正面、１ｄは背面、１ｅは左側面、１ｆは右側面である。上面１ａと下面１ｂは全く同一サイズ及び同一形状に構成されているので、全体を転覆させて上面１ａを下面として、下面１ｂを上面として用いることも可能である。したがって、長期の使用によって上面１ａに汚れが目立ってきたような場合においては、全体を転覆させて上面１ａを下面として、下面１ｂを上面として用いれば、さらに長期に亘っての使用が可能となる。
【００４４】
実施例１の乳幼児用枕１の本体１Ｓは、図１ｃ、図３ａに見るように、中央パーツ１Ｓａ、左パーツ１Ｓｂ、右パーツ１Ｓｃの３点のパーツから構成されている。中央パーツ１Ｓａ、左パーツ１Ｓｂ、右パーツ１Ｓｃはすべて固綿のみ、あるいは熱接着性複合短繊維のみからなる。中央パーツ１Ｓａの幅Ｗ１ａは４０ｃｍ以内であり、左パーツ１Ｓｂの幅Ｗ１ｂと右パーツ１Ｓｃの幅Ｗ１ｃは等しく構成され、両者共やはり４０ｃｍ以内である。１例として、中央パーツ１Ｓａの幅Ｗ１ａを２５ｃｍ、左パーツ１Ｓｂの幅Ｗ１ｂ、右パーツ１Ｓｃの幅Ｗ１ｃを共に１５ｃｍとすることができる。また、中央パーツ１Ｓａと左パーツ１Ｓｂを区画する区画線Ｌ１１、中央パーツ１Ｓａと右パーツ１Ｓｃを区画する区画線Ｌ１２は共に直線状である。区画線Ｌ１１、Ｌ１２は、乳幼児用枕１の短手方向に平行である。
【００４５】
中央パーツ１Ｓａ、左パーツ１Ｓｂ、右パーツ１Ｓｃには、図３ａに見るように、孔ｈ１が、夫々の上面から下面にまで貫通して穿設されている。孔ｈ１は円孔で、その直径は７ｍｍ以下である。孔ｈ１の個数は、中央パーツ１Ｓａに１１７個、左パーツ１Ｓｂ、右パーツ１Ｓｃには共に６５個である。なお、孔ｈ１は、必ずしも上面から下面にまで貫通して穿設される必要はなく、上面に穿設された孔と下面に穿設された孔が、夫々本体１Ｓの中央部分に近い深度にまで穿設されていればよい。但し、図３ｂ、図３ｃにおいては、上面から下面にまで貫通して穿設された状態を示している。また、このように、上面から下面にまで貫通して穿設されている場合には、上面と下面に開口していても、孔の個数を１個と数えるものとする。
【００４６】
中央パーツ１Ｓａ、左パーツ１Ｓｂ、右パーツ１Ｓｃにおいて、孔ｈ１の分布密度は、共に、後部においては中央部より密に、前部においては中央部より疎に構成されている。実施例１の乳幼児用枕１の場合では（図３ａ参照）、孔ｈ１の分布密度は、後部においては２５個／１０ｃｍ２程度、中央部においては１５個／１０ｃｍ２程度、前部においては１０個／１０ｃｍ２程度である。
【００４７】
図１ｂ、図１ｃに示すように、本体１Ｓａは布製のカバーｅ１１に、本体１Ｓｂは布製のカバーｅ１２に、本体１Ｓｃは布製のカバーｅ１３に、夫々被覆されており、さらに全体が、図１ａ、図１ｂに示すように布製カバーＥ１内に収容された状態にある。乳幼児用枕１の背面１ｄは、図２ｂ、図２ｃに見るように、布製カバーＥ１がファスナーＦによって開閉自在に構成されており、本体１Ｓの挿入及び脱抜口となっている。
【００４８】
実施例１の乳幼児用枕１の本体１Ｓは固綿のみから、あるいは熱接着性複合短繊維のみから成っている。固綿は、通常の「綿」である軟綿に対して謂われる用語であり、通常の「綿」すなわち軟綿を圧縮してフェルト状に固めたものであり、使用される「綿」は、天然のものでも合成繊維性でもどちらでも良い。熱接着性複合短繊維は、繊維形成性成分と該繊維形成性成分熱より融点の低い接着性成分から構成されており、具体的にはポリエステル系エラストマーなどが挙げられる。熱接着性複合短繊維も固綿同様所謂「ヘタリ」が少なく、通気性や洗濯後の乾燥性に関しては固綿より優秀である。
【００４９】
実施例１の乳幼児用枕１の作用は、以下のとおりである。図１９ａに見るように、乳幼児Ｂの頭部ＢＨを乳幼児用枕１の略中央に載置させた場合に、側面視にては図１９ｂのように乳幼児Ｂの頭部ＢＨと体躯ＢＤを結ぶ線Ｌが、水平線ＨＬから一定の角度αをなす状態に保持される。この角度αは、乳幼児Ｂの体躯ＢＤが敷布団ＭＴに沈みこむ関係上、乳幼児用枕１の正面側の角度θよりもやや大となる。このように、乳幼児Ｂの頭部ＢＨと体躯ＢＤを結ぶ線Ｌが、水平線ＨＬから一定の角度αをなす状態に保持されるが故に、授乳直後においても所謂「吐き戻し」、「げっぷ」、「鼻詰まり」等の諸現象が防止される。
【００５０】
乳幼児用枕１の本体１Ｓには固綿あるいは熱接着性複合短繊維を使用しているため、上記諸現象の防止効果は、前記特許文献１０の「乳幼児用枕」と比較してもさらに安定的に保証されているといい得る。すなわち、前記特許文献１０の「乳幼児用枕」においては本体素材として低反発性のポリウレタンを使用しているため、実施例１の乳幼児用枕１に比較すると乳幼児Ｂの頭部ＢＨの沈みこみが強く、特に、乳幼児Ｂが寝返りを打とうとして頭部ＢＨを回動させる運動に入った際には一時的に頭部ＢＨがかなり深く沈み、頭部ＢＨと体躯ＢＤを結ぶ線Ｌが水平線ＨＬに接近する状態も考えられる。
【００５１】
またさらに、本体素材として低反発性のポリウレタンを使用した場合には、経年変化によって反発性が低下し、結果として頭部ＢＨと体躯ＢＤを結ぶ線Ｌが水平線ＨＬに接近するが、実施例１の乳幼児用枕１は本体１Ｓが固綿製あるいは熱接着性複合短繊維製のため、経年変化による反発性の低下現象は無視し得る程度である。また、実施例１の乳幼児用枕１は、上面１ａと下面１ｂが全く同一の構成であるため、なんらかの理由によって上面１ａが使用しづらくなった場合においても、全体を転覆させ、下面１ｂを上面として用いることが可能である。
【００５２】
また、実施例１の乳幼児用枕１に乳幼児Ｂの頭部ＢＨが載置された場合に、本体１Ｓに穿設された複数の孔１ｈ、１ｈ、……の作用によって通気性が確保され、乳幼児Ｂの頭部ＢＨが蒸れることがない。さらに、洗濯後の乾燥時においても、複数の孔１ｈ、１ｈ、……の作用によって乾燥時間が短縮される。本体１Ｓに固綿より乾燥性能の良い熱接着性複合短繊維を用いた場合には、乾燥時間がさらに短縮される。
【００５３】
実施例１の乳幼児用枕１においては、全体で２４７個の孔ｈ１が穿設されているが、その分布密度が、本体１Ｓの後部においては中央部より密となり、本体１Ｓの前部においては中央部より疎となっている。すなわち、本体１Ｓの厚さが厚い後部において孔ｈ１の分布密度が密となっていることにより、洗濯後の乾燥時間が、この部分においてさらに短縮される作用がある。また、本体１Ｓの前部においては厚さが薄いので孔ｈ１の分布密度が疎でも乾燥時間は短い。さらに、厚さが薄い前部において孔ｈ１の分布密度が疎となっているために、この部分における本体１Ｓの強度が確保される。
【００５４】
実施例１の乳幼児用枕１の本体１Ｓは、中央パーツ１Ｓａ、左パーツ１Ｓｂ、右パーツ１Ｓｃに分解可能である。すなわち、図２ｂに見るように、背面１ｄのファスナーＦを開き（方向ａ、方向ｂ）、背面１ｄを矢印方向ｃに開いて、図２ｃに見るように中央パーツ１Ｓａを矢印方向ｄに、左パーツ１Ｓｂを矢印方向ｅに、右パーツ１Ｓｃを矢印方向ｆに、夫々脱抜する。このようにすることにより、本体１Ｓを洗濯機にて洗濯しやすくなる。
【００５５】
すなわち、本体１Ｓを構成する３個のパーツの中でも最大の中央パーツ１Ｓａでも、幅Ｗ１ａが４０ｃｍ以下となるので、家庭用の洗濯機の洗濯槽にも楽に収容でき、また洗濯時の攪拌も十分に行われる。実施例１の乳幼児用枕１の本体１Ｓａにおいては、幅Ｗ１ａが２５ｃｍ、奥行きＤ１が３５ｃｍ程度であるので、通常４５ｃｍ〜４８ｃｍの直径及び５０ｃｍ〜５５ｃｍの深さを有する家庭用の洗濯機の洗濯槽（図示せず）には、十分に余裕をもって収容されるものである。なお、中央パーツ１Ｓａ、左パーツ１Ｓｂ、右パーツ１Ｓｃは、夫々カバーｅ１１、ｅ１２、ｅ１３を掛けたままの状態で洗濯するのが望ましい。
【００５６】
洗濯と乾燥が終了すれば、別に洗濯しておいた布製カバーＥ１内にカバーｅ１１、ｅ１２、ｅ１３が掛かった状態の中央パーツ１Ｓａ、左パーツ１Ｓｂ、右パーツ１Ｓｃを収容する。その際、背面１ｄのファスナーＦが開いた状態で、背面１ｄの開口部より順次挿入収納すればよい（収納順は自由である）。収納が完了すればファスナーＦを閉じる。これにより、乳幼児用枕１の再使用が可能となる。
【００５７】
なお、実施例１の乳幼児用枕１においては、中央パーツ１Ｓａと左パーツ１Ｓｂを区画する区画線Ｌ１１、中央パーツ１Ｓａと右パーツ１Ｓｃを区画する区画線Ｌ１２が乳幼児Ｂの頭部ＢＨが載置される部分以外の部分を通過しているので（図１９ａ参照）、区画線Ｌ１１、Ｌ１２によって使用感が損なわれることがなく、また、区画線Ｌ１１、Ｌ１２の近傍が、乳幼児Ｂの頭部ＢＨの重量によって影響を蒙る惧れもない。
【実施例２】
【００５８】
実施例２の乳幼児用枕２は、全体の構成は実施例１の乳幼児用枕１と略同様であり、本体２Ｓがすべて固綿のみから、あるいは熱接着性複合短繊維のみから成る点も実施例１と同様であるが、本体２Ｓに穿設されている孔ｈ２の直径が実施例１の乳幼児用枕１の孔ｈ１の直径と異なる。すなわち、図４ａに見るように、本体２Ｓを構成する中央パーツ２Ｓａ、左パーツ２Ｓｂ、右パーツ２Ｓｃにおいて、孔ｈ２の個数は、中央パーツ２Ｓａにおいて１１７個、左パーツ２Ｓｂにおいて６５個、右パーツ２Ｓｃにおいて６５個、合計２４７個で、実施例１の乳幼児用枕１と同じであり、また、後部において孔ｈ２の密度が密に、前部において孔ｈ２の密度が疎に構成されている点も実施例１の乳幼児用枕１と同じである。
【００５９】
しかしながら、本体２Ｓの中央部においては孔ｈ２の直径は６〜７ｍｍ前後で実施例１の乳幼児用枕１の孔ｈ１の直径と同様であるが、後部にいくほど孔ｈ２の直径は大となり、最後部にては１０ｍｍ程度となる。また逆に、前部にいくほど孔ｈ２の直径は小となり、最前部にては３ｍｍ程度となっている。孔ｈ２が、本体２Ｓの上面から下面に貫通されている点は、実施例１の乳幼児用枕１と同様である。
【００６０】
実施例２の乳幼児用枕２の作用は、実施例１の乳幼児用枕１の作用と略同一であるが、本体２Ｓの厚さが厚い後部において、孔ｈ２の直径がより大とされていることにより、この部分での洗濯後の乾燥作用はより促進され、乾燥に要する時間はより短縮される。また、本体２Ｓの厚さが薄い前部において、孔ｈ２の直径がより小とされていることにより、この部分にての本体２Ｓの強度は、実施例１の乳幼児用枕１の本体１Ｓに比較して、より丈夫なものとなる。
【００６１】
なお、図４ａにて、ｅ２１は中央パーツ２Ｓａを被覆する布製のカバー、ｅ２２は左パーツ２Ｓｂを被覆する布製のカバー、ｅ２３は右パーツ２Ｓｃを被覆する布製のカバーであり、Ｅ２は、本体２Ｓ全体を被覆する布製カバーである。また、Ｌ２１は中央パーツ２Ｓａと左パーツ２Ｓｂを区画する区画線、Ｌ２２は中央パーツ２Ｓａと右パーツ２Ｓｃを区画する区画線であり、区画線Ｌ２１、Ｌ２２の位置は、実施例１の乳幼児用枕１の区画線Ｌ１１、Ｌ１２の位置と略同位置にある。
【実施例３】
【００６２】
実施例３の乳幼児用枕３は、全体の構成は実施例１の乳幼児用枕１と略同様であり、本体３Ｓがすべて固綿のみから、あるいは熱接着性複合短繊維のみから成る点も実施例１と同様であるが、本体３Ｓに穿設されている孔ｈ３の直径及び分布密度が実施例１の乳幼児用枕１の孔ｈ１の直径及び分布密度と異なる。すなわち、図５ａに見るように、本体３Ｓを構成する中央パーツ３Ｓａ、左パーツ３Ｓｂ、右パーツ３Ｓｃにおいて、孔ｈ３の個数は、中央パーツ３Ｓａにおいて９８個、左パーツ３Ｓｂにおいて５２個、右パーツ３Ｓｃにおいて５２個、合計２０２個で、実施例１の乳幼児用枕１、実施例２の乳幼児枕２に比較してやや少ない。また、後部において孔ｈ３の分布密度は、後部においても中央部においても前部においてもすべて同一で、２０個／１０ｃｍ２程度である。
【００６３】
また、本体３Ｓの中央部においては孔ｈ３の直径は６〜７ｍｍ前後で実施例１の乳幼児用枕１の孔ｈ１の直径と同様であるが、後部にいくほど孔ｈ３の直径は大となり、最後部にては１２ｍｍ程度となる。また逆に、前部にいくほど孔ｈ３の直径は小となり、最前部にては２ｍｍ程度となっている。孔ｈ３が、本体３Ｓの上面から下面に貫通されている点は、実施例１の乳幼児用枕１と同様である。
【００６４】
実施例３の乳幼児用枕３の作用は、実施例１の乳幼児用枕１の作用及び実施例２の乳幼児用枕２の作用と略同一である。すなわち、孔ｈ３の分布密度は本体３Ｓにおいて、後部も中央部も前部もすべて同一であるが、本体３Ｓの厚さが厚い後部において、孔ｈ３の直径が実施例２の乳幼児用枕２の本体２Ｓの後部における孔ｈ２の直径よりやや大とされていることにより、この部分での洗濯後の乾燥作用の短縮化は実施例２の乳幼児用枕２同様に保持される。また、本体３Ｓの厚さが薄い前部において、孔ｈ３の直径がより実施例２の乳幼児用枕２の本体２Ｓの前部における孔ｈ２の直径よりやや小とされていることにより、この部分にての本体２Ｓの強度も、実施例２の乳幼児用枕２の本体２Ｓの前部における本体２Ｓの強度同様に保持される。
【００６５】
なお、図５ａにて、ｅ３１は中央パーツ３Ｓａを被覆する布製のカバー、ｅ３２は左パーツ３Ｓｂを被覆する布製のカバー、ｅ３３は右パーツ３Ｓｃを被覆する布製のカバーであり、Ｅ３は、本体３Ｓ全体を被覆する布製カバーである。また、Ｌ３１は中央パーツ３Ｓａと左パーツ３Ｓｂを区画する区画線、Ｌ３２は中央パーツ３Ｓａと右パーツ３Ｓｃを区画する区画線であり、区画線Ｌ３１、Ｌ３２の位置は、実施例１の乳幼児用枕１の区画線Ｌ１１、Ｌ１２、実施例２の乳幼児用枕２の区画線Ｌ２１、Ｌ２２の位置と略同位置にある。
【実施例４】
【００６６】
実施例４の乳幼児用枕４は、全体の構成は実施例１の乳幼児用枕１と略同様であり、本体４Ｓがすべて固綿のみから、あるいは熱接着性複合短繊維のみから成る点も実施例１と同様であるが、本体４Ｓを中央パーツ４Ｓａ、左パーツ４Ｓｂ、右パーツ４Ｓｃに区画する区画線Ｌ４１、Ｌ４２の位置が実施例１の乳幼児用枕１の区画線Ｌ１１、Ｌ１２と異なる。すなわち、図６ａに見るように、中央パーツ４Ｓａの正面の幅Ｗ４ａが背面の幅Ｗ４ｂより小に構成されており、中央パーツ４Ｓａは逆台形状をなす。また、左パーツ４Ｓｂの正面の幅Ｗ４ｃは背面の幅Ｗ４ｄより大に構成されており、左パーツ４Ｓｂは台形状をなす。さらに、右パーツ４Ｓｃの正面の幅Ｗ４ｅは背面の幅Ｗ４ｆより大に構成されており、右パーツ４Ｓｃも台形状なすを。故に、区画線Ｌ４１、Ｌ４２は乳幼児用枕４の短手方向に対して傾斜されて構成されている。
【００６７】
孔４ｈの直径及び分布密度の変化は、実施例１の乳幼児用枕１と略同様であるが、区画線Ｌ４１、Ｌ４２が傾斜されていることにより、孔ｈ４の個数は実施例１の孔ｈ１の個数とはやや異なる。すなわち、中央パーツ４Ｓａにおいて１２９個、左パーツ４Ｓｂにおいて６４個、右パーツ４Ｓｃにおいて６４個、合計２５７個となっている。また、孔ｈ４の直径は、すべて６．５ｍｍである。
【００６８】
実施例４の乳幼児用枕４の作用は、実施例１〜３の乳幼児用枕１〜３の作用と略同一であるが、区画線Ｌ４１、Ｌ４２が傾斜されていることにより、中央パーツ４Ｓａ、左パーツ４Ｓｂ、右パーツ４Ｓｃを布製カバーＥ４内に収容する際には、先に左パーツ４Ｓｂ、右パーツ４Ｓｃを布製カバーＥ４内に収容することにより、中央パーツ４Ｓａの収容作業が楽にできるようになる。また、区画線Ｌ４１、Ｌ４２が傾斜されていることにより、使用に際しても、布製カバーＥ４内にて中央パーツ４Ｓａ、左パーツ４Ｓｂ、右パーツ４Ｓｃが相互にズレにくくなり、安定性が向上する。
【００６９】
なお、図６ａ、図６ｂにて、ｅ４１は中央パーツ４Ｓａを被覆する布製のカバー、ｅ４２は左パーツ４Ｓｂを被覆する布製のカバー、ｅ４３は右パーツ４Ｓｃを被覆する布製のカバーであり、Ｅ４は、本体４Ｓ全体を被覆する布製カバーである。
【実施例５】
【００７０】
実施例５の乳幼児用枕５は、全体の構成は実施例１の乳幼児用枕１と略同様であり、本体５Ｓがすべて固綿のみから、あるいは熱接着性複合短繊維のみから成る点も実施例１と同様であるが、本体５Ｓを中央パーツ５Ｓａ、左パーツ５Ｓｂ、右パーツ５Ｓｃに区画する区画線Ｌ５１、Ｌ５２の位置及び形状が実施例１の乳幼児用枕１の区画線Ｌ１１、Ｌ１２と異なる。すなわち、図７ａに見るように、区画線Ｌ５１が「く」字状に、区画線Ｌ５２が区画線Ｌ５１と左右対称の逆「く」字状に屈曲されており、中央パーツ５Ｓａは６角形状となり、左パーツ５Ｓｂ、右パーツ５Ｓｃは共に凹５角形状となっている。
【００７１】
孔ｈ５の直径及び分布密度の変化は、実施例１の乳幼児用枕１と略同様であるが、区画線Ｌ５１、Ｌ５２が屈曲されていることにより、孔ｈ５の個数は実施例１の孔ｈ１の個数とはやや異なる。すなわち、中央パーツ５Ｓａにおいて１２５個、左パーツ５Ｓｂにおいて６５個、右パーツ５Ｓｃにおいて６５個、合計２５５個となっている。また、孔ｈ５の直径は、すべて６．５ｍｍである。
【００７２】
実施例５の乳幼児用枕５の作用は、実施例１〜４の乳幼児用枕１〜４の作用と略同一であるが、区画線Ｌ５１、Ｌ５２が屈曲されていることにより、使用に際して、布製カバーＥ５内にて中央パーツ５Ｓａ、左パーツ５Ｓｂ、右パーツ５Ｓｃが相互にズレにくくなり、安定性が向上する。この安定性の向上の効果は、実施例４の乳幼児用枕４よりさらに大きくなる。
【００７３】
なお、図７ａ、図７ｂにて、ｅ５１は中央パーツ５Ｓａを被覆する布製のカバー、ｅ５２は左パーツ５Ｓｂを被覆する布製のカバー、ｅ５３は右パーツ５Ｓｃを被覆する布製のカバーであり、Ｅ５は、本体５Ｓ全体を被覆する布製カバーである。
【実施例６】
【００７４】
実施例６の乳幼児用枕６は、全体の構成は実施例１の乳幼児用枕１と略同様であり、本体６Ｓがすべて固綿のみから、あるいは熱接着性複合短繊維のみから成る点も実施例１と同様であるが、本体６Ｓを中央パーツ６Ｓａ、左パーツ６Ｓｂ、右パーツ６Ｓｃに区画する区画線Ｌ６１、Ｌ６２の位置及び形状が実施例１の乳幼児用枕１の区画線Ｌ１１、Ｌ１２と異なる。すなわち、図８ａに見るように、区画線Ｌ６１が稲妻状に、区画線Ｌ６２が区画線Ｌ６１と左右対称の稲妻状に屈曲されており、中央パーツ６Ｓａは５角形状となり、左パーツ６Ｓｂ、右パーツ６Ｓｃは共に凹６角形状となっている。
【００７５】
孔ｈ６の直径及び分布密度の変化は、実施例１の乳幼児用枕１と略同様であるが、区画線Ｌ６１、Ｌ６２が屈曲されていることにより、孔ｈ６の個数は実施例１の孔ｈ１の個数とはやや異なる。すなわち、中央パーツ６Ｓａにおいて８７個、左パーツ６Ｓｂにおいて８２個、右パーツ６Ｓｃにおいて８２個、合計２５１個となっている。また、孔ｈ６の直径は、すべて６．５ｍｍである。
【００７６】
実施例６の乳幼児用枕６の作用は、実施例１〜５の乳幼児用枕１〜５の作用と略同一であるが、区画線Ｌ６１、Ｌ６２が稲妻状に屈曲されていることにより、使用に際して、布製カバーＥ６内にて中央パーツ６Ｓａ、左パーツ６Ｓｂ、右パーツ６Ｓｃが相互にズレにくくなり、安定性が向上する。この安定性の向上の効果は、実施例５の乳幼児用枕５と同程度である。また、中央パーツ６Ｓａ、左パーツ６Ｓｂ、右パーツ６Ｓｃの布製カバーＥ６からの脱抜の際にも左パーツ６Ｓｂ、右パーツ６Ｓｃを先に脱抜することにより脱抜が容易であり、挿入の際にも、中央パーツ６Ｓａを最初に挿入すれば、左パーツ６Ｓｂ、右パーツ６Ｓｃの挿入が容易となる。
【００７７】
なお、図８ａ、図８ｂにて、ｅ６１は中央パーツ６Ｓａを被覆する布製のカバー、ｅ６２は左パーツ６Ｓｂを被覆する布製のカバー、ｅ６３は右パーツ６Ｓｃを被覆する布製のカバーであり、Ｅ６は、本体６Ｓ全体を被覆する布製カバーである。
【実施例７】
【００７８】
実施例７の乳幼児用枕７は、全体の構成は実施例１の乳幼児用枕１と略同様であり、本体７Ｓがすべて固綿のみから、あるいは熱接着性複合短繊維のみから成る点も実施例１と同様であるが、本体７Ｓを中央パーツ７Ｓａ、左パーツ７Ｓｂ、右パーツ７Ｓｃに区画する区画線Ｌ７１、Ｌ７２の形状が実施例１の乳幼児用枕１の区画線Ｌ１１、Ｌ１２と異なる。すなわち、図９ａに見るように、区画線Ｌ７１、Ｌ７２が細かい稲妻状に屈曲されている。
【００７９】
孔ｈ７の直径及び分布密度の変化は、実施例１の乳幼児用枕１と略同様であるが、区画線Ｌ７１、Ｌ７２が屈曲されていることにより、孔ｈ７の個数は実施例１の孔ｈ１の個数とはやや異なる。すなわち、中央パーツ７Ｓａにおいて１１９個、左パーツ７Ｓｂにおいて６５個、右パーツ７Ｓｃにおいて６５個、合計２４９個となっている。また、孔ｈ７の直径は、すべて６．５ｍｍである。
【００８０】
実施例７の乳幼児用枕７の作用は、実施例１〜６の乳幼児用枕１〜６の作用と略同一であるが、区画線Ｌ７１、Ｌ７２が稲妻状に細かく屈曲されていることにより、使用に際して、布製カバーＥ７内にて中央パーツ７Ｓａ、左パーツ７Ｓｂ、右パーツ７Ｓｃが相互にズレにくくなり、安定性が向上する。この安定性の向上の効果は、実施例５の乳幼児用枕５、実施例６の乳幼児用枕６よりさらに高い。    
【００８１】
なお、図９ａにて、ｅ７は中央パーツ７Ｓａ、左パーツ７Ｓｂ、右パーツ７Ｓｃの全体を被覆する布製のカバーであり、Ｅ７は、さらにその上から本体７Ｓ全体を被覆する布製カバーである。
【実施例８】
【００８２】
実施例８の乳幼児用枕８は、全体の構成は実施例１の乳幼児用枕１と略同様であり、本体８Ｓがすべて固綿のみから、あるいは熱接着性複合短繊維のみから成る点も実施例１と同様であるが、本体８Ｓを中央パーツ８Ｓａ、左パーツ８Ｓｂ、右パーツ８Ｓｃに区画する区画線Ｌ８１、Ｌ８２の形状が実施例１の乳幼児用枕１の区画線Ｌ１１、Ｌ１２と異なる。すなわち、図１０ａに見るように、区画線Ｌ８１、Ｌ８２が細かい波状に屈曲されている。
【００８３】
孔ｈ８の直径及び分布密度の変化は、実施例１の乳幼児用枕１と略同様であるが、区画線Ｌ８１、Ｌ８２が屈曲されていることにより、孔ｈ８の個数は実施例１の孔ｈ１の個数とはやや異なる。すなわち、中央パーツ８Ｓａにおいて１１９個、左パーツ８Ｓｂにおいて６５個、右パーツ８Ｓｃにおいて６５個、合計２４９個となっている。また、孔ｈ８の直径は、すべて６．５ｍｍである。
【００８４】
実施例８の乳幼児用枕８の作用は、実施例１〜７の乳幼児用枕１〜７の作用と略同一であるが、区画線Ｌ８１、Ｌ８２が波状に細かく屈曲されていることにより、使用に際して、布製カバーＥ８内にて中央パーツ８Ｓａ、左パーツ８Ｓｂ、右パーツ８Ｓｃが相互にズレにくくなり、安定性が向上する。この安定性の向上の効果は、実施例５の乳幼児用枕５、実施例６の乳幼児用枕６よりさらに高く、実施例７の乳幼児用枕７と同程度である。    
【００８５】
なお、図１０ａにて、ｅ８は中央パーツ８Ｓａ、左パーツ８Ｓｂ、右パーツ８Ｓｃの全体を被覆する布製のカバーであり、Ｅ８は、さらにその上から本体８Ｓ全体を被覆する布製カバーである。
【実施例９】
【００８６】
実施例９の乳幼児用枕９は、全体の構成は実施例１の乳幼児用枕１と略同様であり、本体９Ｓがすべて固綿のみから、あるいは熱接着性複合短繊維のみから成る点も実施例１と同様であるが、本体９Ｓを中央パーツ９Ｓａ、左パーツ９Ｓｂ、右パーツ９Ｓｃに区画する区画線Ｌ９１、Ｌ９２の形状が実施例１の乳幼児用枕１の区画線Ｌ１１、Ｌ１２と異なる。すなわち、図１１ａに見るように、区画線Ｌ９１、Ｌ９２が蟻継溝状に屈曲されている。
【００８７】
孔ｈ９の直径及び分布密度の変化は、実施例１の乳幼児用枕１と略同様であるが、区画線Ｌ９１、Ｌ９２が屈曲されていることにより、孔ｈ９の個数は実施例１の孔ｈ１の個数とはやや異なる。すなわち、中央パーツ９Ｓａにおいて１１９個、左パーツ９Ｓｂにおいて６５個、右パーツ９Ｓｃにおいて６５個、合計２４９個となっている。また、孔ｈ９の直径は、すべて６．５ｍｍである。
【００８８】
実施例９の乳幼児用枕９の作用は、実施例１〜８の乳幼児用枕１〜８の作用と略同一であるが、区画線Ｌ９１、Ｌ９２が蟻継溝状に細かく屈曲されていることにより、使用に際して、布製カバーＥ９内にて中央パーツ９Ｓａ、左パーツ９Ｓｂ、右パーツ９Ｓｃが相互にズレにくくなり、安定性が向上する。この安定性の向上の効果は、実施例８の乳幼児用枕８よりさらに高い。    
【００８９】
なお、図１１ａにて、ｅ９は中央パーツ９Ｓａ、左パーツ９Ｓｂ、右パーツ９Ｓｃの全体を被覆する布製のカバーであり、Ｅ９は、さらにその上から本体９Ｓ全体を被覆する布製のカバーである。
【実施例１０】
【００９０】
実施例１０の乳幼児用枕１０は、全体の構成は実施例３の乳幼児用枕３と略同様であり、本体１０Ｓがすべて固綿のみから、あるいはすべて熱接着性複合短繊維のみから成る点も実施例１と同様である。すなわち、本体１０Ｓが、直線状の区画線Ｌ１０１、Ｌ１０２によって中央パーツ１０Ｓａ、左パーツ１０Ｓｂ、右パーツ１０Ｓｃに区画されている。そして、本体１０Ｓの表面には、本体１０Ｓと同じ素材の薄いシート状のメッシュＭ１１が固着され、裏面には本体１０Ｓと同じ素材の薄いシート状のメッシュＭ１２が固着されている。メッシュＭ１１、Ｍ１２共、メッシュ孔ｍｈが孔ｈ１０と重なるように構成されている。メッシュＭ１１、Ｍ１２は、本体１０Ｓと同じ素材なので、一旦固着されると素材の繊維どうしが絡み合い、本体１０Ｓと一体化してしまうから、固着面でずれる等のおそれは全くない。なお、孔ｈ１０の個数と直径の変化及び分布密度は、実施例３の乳幼児用枕３と同様である。
【００９１】
実施例１０の乳幼児用枕１０の作用は、実施例１〜９の乳幼児用枕１〜９の作用と略同一であるが、本体１０Ｓの表裏にメッシュＭ１１、Ｍ１２が固着されていることにより、通気性と使用感の２点において、実施例１〜９の乳幼児用枕１〜９より優れた効果を有している。すなわち、メッシュＭ１１、Ｍ１２のメッシュ孔ｍｈの作用によって孔ｈ１０の周囲に僅かな空間が生じ、該空間によって、乳幼児Ｂの頭部ＢＨとのより良好な通気性が確保される。また、メッシュＭ１１、Ｍ１２がクッションの役割を果たすので、固綿あるいは熱接着性複合短繊維の反発性が幾分和らげられて使用感が向上する。
【００９２】
なお、図１２ａにて、ｅ１０１は中央パーツ１０Ｓａを被覆する布製のカバーであり、ｅ１０２は左パーツ１０Ｓｂを被覆する布製のカバーであり、ｅ１０３は右パーツ１０Ｓｃを被覆する布製のカバーであり、Ｅ１０は、さらにその上から本体１０Ｓ全体を被覆する布製カバーである。
【００９３】
また、図１３はメッシュＭ１１、Ｍ１２の製造方法を示す説明図である。まず、ごく薄い素材シートＳに、図１３ａに示すような配列でスリットｓ、ｓ、……を刻切し、次にシートＳの左端を矢印Ｘ方向に、右端を矢印Ｙ方向に夫々引張する。これによりスリットｓ、ｓ、……が左右方向に拡大されてメッシュ孔ｍｈとなり、メッシュＭ１１、Ｍ１２が形成される。スリットｓ、ｓ、……は、引張された際に本体１０Ｓの孔ｈ１０に重なるような配列で刻切されるものである。
【実施例１１】
【００９４】
実施例１１の乳幼児用枕１１は、全体の構成は実施例１の乳幼児用枕１と略同様であり、本体１１Ｓがすべて固綿のみから、あるいはすべて熱接着性複合短繊維のみから成る点も実施例１と同様であるが、図１４ａに見るように、本体１１Ｓが区画されておらず、一体である。孔ｈ１１の直径及び分布密度の変化は、実施例１の乳幼児用枕１と同様である。なお、図１４ａにて、ｅ１１０は本体１１Ｓを被覆する布製のカバーであり、Ｅ１１は、さらにその上から本体１１Ｓ全体を被覆する布製カバーである。
【００９５】
実施例１１の乳幼児用枕１１の作用は、実施例１〜１０の乳幼児用枕１〜１０の作用と略同一であるが、本体１１Ｓが区画されておらず、一体となっているので、布製のカバーＥ１１内で本体１１Ｓがずれるということが起こりえない。また、どこにも区画線が生じないので、乳幼児Ｂが寝返りを打った結果頭部ＢＨが本体１１Ｓの左端付近あるいは右端付近に位置することとなっても、良好な使用感は保持され、かつ本体１１Ｓにも全く影響が生じない。ただ、サイズによっては通常の家庭用の洗濯機の洗濯槽（直径４５〜４８ｃｍ、深さ５０〜５５ｃｍ）では洗濯しづらいので、通常の家庭用の洗濯機の洗濯槽に入らない場合には、直径６０ｃｍ程度の大型の洗濯槽を有する洗濯機で洗うか、手洗いをすることになる。
【実施例１２】
【００９６】
実施例１２の乳幼児用枕１２は、全体の構成は実施例３の乳幼児用枕３と略同様であり、本体１２Ｓがすべて固綿のみから、あるいはすべて熱接着性複合短繊維のみから成る点も実施例１と同様であるが、図１５ａに見るように、本体１２Ｓが区画されておらず、一体である。また、本体１２Ｓの四隅は丸められている。孔ｈ１２の直径の変化及び分布密度は、実施例３の乳幼児用枕３と同様である。なお、図１５ａにて、ｅ１２０は本体１２Ｓを被覆する布製のカバーであり、Ｅ１２は、さらにその上から本体１２Ｓ全体を被覆する布製カバーである。
【００９７】
実施例１２の乳幼児用枕１２の作用は、実施例１〜１０の乳幼児用枕１〜１０の作用と略同一であるが、本体１２Ｓが区画されておらず、一体となっているので、布製のカバーＥ１２内で本体１２Ｓがずれるということが起こりえない。また、実施例１１の乳幼児用枕１１と同様、どこにも区画線が生じないので、乳幼児Ｂが寝返りを打った結果頭部ＢＨが本体１２Ｓの左端付近あるいは右端付近に位置することとなっても、良好な使用感は保持され、かつ本体１２Ｓにも全く影響が生じない。
【００９８】
また、やはり、サイズによっては通常の家庭用の洗濯機の洗濯槽（直径４５ｃｍ〜４８ｃｍ、深さ５０ｃｍ〜５５ｃｍ）では洗濯しづらいので、その場合には、直径６０ｃｍ程度の大型の洗濯槽を有する洗濯機で洗うか、手洗いをすることになるが、本体１２Ｓの四隅が丸められているので、洗濯機で洗うにしても手洗いをするにしても、取り扱いは若干し易くなっている。また、使用に際しても、使用感は向上されている。
【実施例１３】
【００９９】
実施例１３の乳幼児用枕１３は、図１６ａに示すように、奥行きＤ１３が２５ｃｍ〜３５ｃｍ、幅Ｗ１３が３５ｃｍ〜４４ｃｍ、背面側の高さＨ１３ｂが４ｃｍ〜６ｃｍの範囲内であり、図１６ｂ、図１６ｃに示すように、固綿のみから、あるいは熱接着性複合短繊維のみからなる本体１３Ｓは一体として構成され、孔を有してない。正面側の高さＨ１３ａは、実施例１同様に縫製の具合によって微妙に異なるので一定には定められないが、０．３〜２ｃｍの範囲内となる。サイズに関しては、最適な一例として、奥行きＤ１３が３０ｃｍ、幅Ｗ１３が４０．５ｃｍ、正面側の高さＨ１３ａが０．５ｃｍ、背面側の高さＨ１３ｂが５．５ｃｍのものをつくることができる。
【０１００】
また、側面視における正面側の角θは、適切な値として３．５°〜１２°、望ましい値としては６°〜１１°、さらに望ましい値としては８°〜１０．５°の範囲内である。上記の最適な一例の場合、角θは、凡そ９．５°である。なお、ｅ１３０は本体１３Ｓを被覆する布製のカバーであり、Ｅ１３は、さらにその上から本体１３Ｓ全体を被覆する布製カバーである。
【０１０１】
実施例１３の乳幼児用枕１３は、サイズが上記のように比較的小さめにつくられているので、本体１３Ｓを、通常の家庭用の洗濯機の洗濯槽（直径４５ｃｍ〜４８ｃｍ、深さ５０ｃｍ〜５５ｃｍ）で丸洗いすることができる。洗濯の際には、本体１３Ｓにカバーｅ１３０を掛けたままで洗うのが望ましい。また、洗濯後の乾燥においても、サイズが小さいので、乾燥時間がさほどかからない。
【０１０２】
実施例１３の乳幼児用枕１３においては、本体１３Ｓに孔を有してないが、これは、本体１３Ｓのサイズが比較的小さめであるので、洗濯後の乾燥の点においても、また通気性等の点においても、孔を設けなくてもある程度の作用効果、すなわち、乾燥時間が短い、あるいは通気性が良いといった作用効果を有することができるという判断による。ゆえに、本体１３Ｓに孔を有せしめても無論問題は生じない。なお、本体１３Ｓに孔を有せしめる場合には、実施例１〜１２に倣えば良いものである。
【０１０３】
実施例１３の乳幼児用枕１３は、本体１３Ｓが固綿のみから、あるいは熱接着性複合短繊維のみからなるので、実施例１〜１２において挙げられた固綿のみから、あるいは熱接着性複合短繊維のみからなるという点での作用効果をすべて奏することができるのは言うまでもないことである。なお、固綿よりも熱接着性複合短繊維の方が洗濯後の乾燥性能に優れているので、本体１３Ｓに熱接着性複合短繊維を用いた場合には、理想的な乾燥性能を有することが可能となる。
【実施例１４】
【０１０４】
実施例１４の乳幼児用枕１４は、図１７ａに示すように、奥行きＤ１４が２５ｃｍ〜４０ｃｍ、幅Ｗ１４が３５ｃｍ〜６０ｃｍ、背面側の高さＨ１３ｂが４ｃｍ〜６ｃｍの範囲内であり、図１７ｂ、図１７ｃに示すように、固綿のみから、あるいは熱接着性複合短繊維のみからなる本体１３Ｓは一体として構成され、孔を有してない。正面側の高さＨ１４ａは、実施例１同様に縫製の具合によって微妙に異なるので一定には定められないが、０．３〜２ｃｍの範囲内となる。
【０１０５】
また、側面視における正面側の角θは、適切な値として３．５°〜１２°、望ましい値としては６°〜１１°、さらに望ましい値としては８°〜１０．５°の範囲内である。上記の最適な一例の場合、角θは、凡そ９．５°である。なお、ｅ１４０は本体１４Ｓを被覆する布製のカバーであり、Ｅ１４は、さらにその上から本体１４Ｓ全体を被覆する布製カバーである。
【０１０６】
実施例１４の乳幼児用枕１４においては、本体１４Ｓに孔を有してない。しかし、そのかわりに本体１４Ｓが固綿製の場合には固綿の密度を若干下げてあるので、洗濯後の乾燥の点においても、また通気性等の点においても、孔を設けなくてもある程度の作用効果、すなわち、乾燥時間が短い、あるいは通気性が良いといった作用効果を有することができる。また、本体１４Ｓが熱接着性複合短繊維製の場合には、もとより熱接着性複合短繊維は固綿より通気性においても乾燥性能においても優れている。したがって、本体１４Ｓに孔を有せしめても無論問題は生じない。なお、本体１４Ｓに孔を有せしめる場合には、実施例１〜１２に倣えば良いものである。
【０１０７】
実施例１４の乳幼児用枕１４は、本体１４Ｓが固綿のみから、あるいは熱接着性複合短繊維のみからなるので、実施例１〜１２において挙げられた固綿のみから、あるいは熱接着性複合短繊維のみからなるという点での作用効果をすべて奏することができるのは言うまでもないことである。
【実施例１５】
【０１０８】
実施例１５の乳幼児用枕１５は、図１８ａに示すように、奥行きＤ１５が２５ｃｍ〜４０ｃｍ、幅Ｗ１５が３５ｃｍ〜６０ｃｍ、背面側の高さＨ１５ｂが４ｃｍ〜６ｃｍの範囲内であり、図１８ｂ、図１８ｃに示すように、固綿のみから、あるいは熱接着性複合短繊維のみからなる本体１５Ｓは、パーツ１５Ｓａ，１５Ｓｂ，１５Ｓｃに３分割される。また、パーツ１５Ｓａ，１５Ｓｂ，１５Ｓｃはすべて孔を有してない。正面側の高さＨ１５ａは、実施例１同様に縫製の具合によって微妙に異なるので一定には定められないが、０．３〜２ｃｍの範囲内となる。なお、ｅ１５１はパーツ１５Ｓａを被覆する布製のカバーであり、ｅ１５２はパーツ１５Ｓｂを被覆する布製のカバーであり、ｅ１５３はパーツ１５Ｓｃを被覆する布製のカバーであり、Ｅ１５は、さらにその上から本体１５Ｓ全体を被覆する布製カバーである。
【０１０９】
実施例１５の乳幼児用枕１５を構成する本体１５Ｓは、固綿製の場合にはその固綿の密度を実施例１３の乳幼児用枕１３の本体１３Ｓと同一とすることができる。すなわち、本体１５Ｓが固綿製の場合でも３分割されているので、洗濯後の乾燥の点において、乾燥時間が短いという作用効果を有することができる。また、分割された本体１５Ｓａ，１５Ｓｂ，１５Ｓｃはすべて通常の家庭用の洗濯機の洗濯槽（直径４５ｃｍ〜４８ｃｍ、深さ５０ｃｍ〜５５ｃｍ）で丸洗いすることができる。なお、本体１５Ｓの分割の方法は、当然実施例４〜９に倣うことができる。
【産業上の利用可能性】
【０１１０】
本発明は、現在、乳幼児を持つ家庭において高い支持を得ている前記特許文献１０の乳幼児用枕の使用者における使用感や要望等を基にして、使用特性や耐久性の向上、洗濯可能性の付与といった各点から、新たに開発した技術内容を具体化して新しい製品としたものであり、前記特許文献１０の乳幼児用枕の基本的な作用をすべて奏することができるのは無論のこと、さらに使いやすくて耐久性があり、家庭用の洗濯機にても簡単に洗え、乾燥も速い新製品として、より多くの家庭に支持される乳幼児用枕となるものである。
【符号の説明】
【０１１１】
１        乳幼児用枕
１ａ      上面
１ｂ      下面
１ｃ      正面
１ｄ      背面
１ｅ      左側面
１ｆ      右側面
１Ｓ      本体
１Ｓａ    中央パーツ
１Ｓｂ    左パーツ
１Ｓｃ    右パーツ
２        乳幼児用枕
２Ｓ      本体
２Ｓａ    中央パーツ
２Ｓｂ    左パーツ
２Ｓｃ    右パーツ
３        乳幼児用枕
３Ｓ      本体
３Ｓａ    中央パーツ
３Ｓｂ    左パーツ
３Ｓｃ    右パーツ
４        乳幼児用枕
４Ｓ      本体
４Ｓａ    中央パーツ
４Ｓｂ    左パーツ
４Ｓｃ    右パーツ
５        乳幼児用枕
５Ｓ      本体
５Ｓａ    中央パーツ
５Ｓｂ    左パーツ
５Ｓｃ    右パーツ
６        乳幼児用枕
６Ｓ      本体
６Ｓａ    中央パーツ
６Ｓｂ    左パーツ
６Ｓｃ    右パーツ
７        乳幼児用枕
７Ｓ      本体
７Ｓａ    中央パーツ
７Ｓｂ    左パーツ
７Ｓｃ    右パーツ
８        乳幼児用枕
８Ｓ      本体
８Ｓａ    中央パーツ
８Ｓｂ    左パーツ
８Ｓｃ    右パーツ
９        乳幼児用枕
９Ｓ      本体
９Ｓａ    中央パーツ
９Ｓｂ    左パーツ
９Ｓｃ    右パーツ
１０      乳幼児用枕
１０Ｓ    本体
１０Ｓａ  中央パーツ
１０Ｓｂ  左パーツ
１０Ｓｃ  右パーツ
１１      乳幼児用枕
１１Ｓ    本体
１１Ｓａ  中央パーツ
１１Ｓｂ  左パーツ
１１Ｓｃ  右パーツ
１２      乳幼児用枕
１２Ｓ    本体
１２Ｓａ  中央パーツ
１２Ｓｂ  左パーツ
１２Ｓｃ  右パーツ
１３      乳幼児用枕
１３Ｓ    本体
１４      乳幼児用枕
１４Ｓ    本体
１５      乳幼児用枕
１５Ｓａ  中央パーツ
１５Ｓｂ  左パーツ
１５Ｓｃ  右パーツ
Ｂ        乳幼児
ＢＤ      体躯
ＢＨ      頭部
Ｄ１      奥行き
Ｄ１３    奥行き
Ｄ１４    奥行き
Ｄ１５    奥行き
Ｅ１      布製カバー
Ｅ２      布製カバー
Ｅ３      布製カバー
Ｅ４      布製カバー
Ｅ５      布製カバー
Ｅ６      布製カバー
Ｅ７      布製カバー
Ｅ８      布製カバー
Ｅ９      布製カバー
Ｅ１０    布製カバー
Ｅ１１    布製カバー
Ｅ１２    布製カバー
Ｅ１３    布製カバー
Ｅ１４    布製カバー
Ｅ１５    布製カバー
Ｆ        ファスナー
Ｈ１ａ    高さ
Ｈ１ｂ    高さ
Ｈ１３ａ  高さ
Ｈ１３ｂ  高さ
Ｈ１４ａ  高さ
Ｈ１４ｂ  高さ
Ｈ１５ａ  高さ
Ｈ１５ｂ  高さ
ＨＬ      水平線
Ｌ        線
Ｌ１１    区画線
Ｌ１２    区画線
Ｌ２１    区画線
Ｌ２２    区画線
Ｌ３１    区画線
Ｌ３２    区画線
Ｌ４１    区画線
Ｌ４２    区画線
Ｌ５１    区画線
Ｌ５２    区画線
Ｌ６１    区画線
Ｌ６２    区画線
Ｌ７１    区画線
Ｌ７２    区画線
Ｌ８１    区画線
Ｌ８２    区画線
Ｌ９１    区画線
Ｌ９２    区画線
Ｌ１０１  区画線
Ｌ１０２  区画線
Ｍ１１    区画線
Ｍ１２    区画線
ＭＴ      敷布団
Ｓ        素材シート
Ｗ１      幅
Ｗ１ａ    幅
Ｗ１ｂ    幅
Ｗ１ｃ    幅
Ｗ４ａ    幅
Ｗ４ｂ    幅
Ｗ４ｃ    幅
Ｗ４ｄ    幅
Ｗ４ｅ    幅
Ｗ４ｆ    幅
Ｗ１３    幅
Ｗ１４    幅
Ｗ１５    幅
Ｘ        方向
Ｙ        方向
ａ        方向
ｂ        方向
ｃ        方向
ｄ        方向
ｅ        方向
ｆ        方向
ｅ１１    カバー
ｅ１２    カバー
ｅ１３    カバー
ｅ２１    カバー
ｅ２２    カバー
ｅ２３    カバー
ｅ３１    カバー
ｅ３２    カバー
ｅ３３    カバー
ｅ４１    カバー
ｅ４２    カバー
ｅ４３    カバー
ｅ５１    カバー
ｅ５２    カバー
ｅ５３    カバー
ｅ６１    カバー
ｅ６２    カバー
ｅ６３    カバー
ｅ７      カバー
ｅ８      カバー
ｅ９      カバー
ｅ１０１  カバー
ｅ１０２  カバー
ｅ１０３  カバー
ｅ１１０  カバー
ｅ１２０  カバー
ｅ１３０  カバー
ｅ１４０  カバー
ｅ１５１  カバー
ｅ１５２  カバー
ｅ１５３  カバー
ｈ１      孔
ｈ２      孔
ｈ３      孔
ｈ４      孔
ｈ５      孔
ｈ６      孔
ｈ７      孔
ｈ８      孔
ｈ９      孔
ｈ１０    孔
ｈ１１    孔
ｈ１２    孔
ｍｈ      メッシュ孔
ｓ        スリット
α        角度
θ        角
【図１】
2011234817.tif 000003
【図２】
2011234817.tif 000004
【図３】
2011234817.tif 000005
【図４】
2011234817.tif 000006
【図５】
2011234817.tif 000007
【図６】
2011234817.tif 000008
【図７】
2011234817.tif 000009
【図８】
2011234817.tif 000010
【図９】
2011234817.tif 000011
【図１０】
2011234817.tif 000012
【図１１】
2011234817.tif 000013
【図１２】
2011234817.tif 000014
【図１３】
2011234817.tif 000015
【図１４】
2011234817.tif 000016
【図１５】
2011234817.tif 000017
【図１６】
2011234817.tif 000018
【図１７】
2011234817.tif 000019
【図１８】
2011234817.tif 000020
【図１９】
2011234817.tif 000021